(57)【特許請求の範囲】
【請求項１】
平板形状に形成された電池の厚さ方向で上ケースと下ケースとに分割され、両ケースそれぞれに形成された接合部間を当接させて両ケースを衝き合わせたとき、電池の厚さに相当する内寸の電池収容スペースが形成されるパックケース内に電池を収容し、前記接合部で両ケース間を接合して一体化されてなる電池パックにおいて、
前記パックケースが、上ケース及び／又は下ケースの電池平板面に対面する面を弾性変形面に形成すると共に、電池を収容して両ケースを衝き合わせたときに前記接合部間が当接した位置決め状態を維持するように両ケース間で互いに嵌まり合う嵌合部が形成されてなり、このパックケース内に、軟質の外装体内に発電要素を収容してその厚さが一定一様でない平板形状に形成された電池を収容してなることを特徴とする電池パック。
【請求項２】
接合部がパックケースの外面より内側寄りに設けられてなる請求項１記載の電池パック。
【請求項３】
電池収容スペースの周囲に二次電池の側面を囲む壁面が形成され、この壁面の直近の外側に接合部が形成されてなる請求項１記載の電池パック。
【発明の詳細な説明】
【０００１】
【発明の属する技術分野】
本発明は、携帯電話機やモバイルコンピュータ等の携帯情報機器の電池電源として要求される小型軽量化及び薄型化を達成する電池パックに関するものである。
【０００２】
【従来の技術】
携帯電話機やモバイルコンピュータ等の携帯情報機器の体積及び重量中に電池が占める比率は少なくなく、携帯情報機器の小型軽量化及び薄型化の鍵を電池が握っているといっても過言ではない。
【０００３】
図１０は、従来構成に係る携帯電話機の電池装填部分の断面を示し、リチウムイオン二次電池５１を収容した電池パック４９は、電池パック４９のパックケース５０の一方面が携帯電話機７０の機器ケース４８の一部を構成している。図からもわかるように、電池パック４９は携帯電話機７０の厚さの約１／２を占め、残る厚さ方向のスペースにプッシュキー４５やキー接点回路を構成する多層回路基板４６、プッシュキー４５からの押圧力を支持すると共に電池パック４９との間を遮蔽する支持板４７が配設されている。また、電池は充放電や経年変化によって膨張するため、これを見越して電池パック４９内には間隙Ｃが設けられ、電池パック４９と携帯電話機のキー構造との間に隙間Ｇが設けられている。
【０００４】
上記は携帯電話機の例であるが、モバイルコンピュータや電子手帳等も類似の構成であり、これらの携帯情報機器の小型軽量化、特に薄型化を実現するには電池の薄型化が不可欠の要素となる。しかしながら、従来のリチウムイオン二次電池のように正負極板を巻回構造に形成した電池では所要の電池容量を得るためには、その厚さを薄型化することに限界がある。また、電池の膨張に対応するために電池パック内及び機器内に間隙を設ける必要があるため、電池パック及び機器の薄型化を阻害している。
【０００５】
そこで、リチウムポリマー二次電池のように極板を積層構造にしてラミネートシートのような軟質の外装体を電池ケースとした電池を採用することにより、薄型化と共に軽量化を図ることができ、携帯電話機やモバイルコンピュータの電池パックの薄型化、軽量化の達成が可能となる。しかし、このような電池を用いた電池パックは、携帯機器あるいは電池パックを落とした場合のような衝撃を受けた際にパックケース内で電池が移動すると、外装体が軟質であるが故に発電要素に衝撃が加わりやすく、発電要素の正負極板間の短絡を生じさせる危険性を孕んでいる。携帯機器は落下や衝突等を受けやすい使用環境にあり、衝撃により機器故障が生じることを抑制する対策が重要であり、特に電池パックの故障は機器の機能停止となってしまうため、衝撃に対する対策を充分に講じる必要がある。
【０００６】
このような軟質の外装体を用いた電池により携帯機器の電池パックを構成するために、衝撃により電池がパックケース内で移動しないように収容する必要があり、電池はパックケースの内壁面で囲み、特に平板両面はパックケースに密着するように収容される。
【０００７】
【発明が解決しようとする課題】
しかしながら、ラミネートシートのような軟質の外装体を電池ケースとした電池は，その外装が軟質であるが故に外形寸法、とくに厚さ寸法が一定一様でなく、外装体内に封入された電解液により弾力性に富む状態になるため、電池の厚さ方向で分割した一対の半殻体を電池の厚さ方向から合わせるように形成したパックケース内に電池を収容するとき、電池の反発により一対の半殻体間を位置合わせして接合する作業が困難になる問題点があった。
【０００８】
一対の半殻体間が嵌合する周囲で充分な嵌合強度が得られる場合には、上記問題点は解決されるが、携帯機器に適用する電池パックの場合には、小型化、薄型化が要求されるため周囲に大きな嵌合箇所を設けることができない。そのため、位置決めを確認し、接合部位が当接するように加圧した状態で溶融接合により一対の半殻体間を接合しなければならない。
【０００９】
本発明が目的とするところは、ラミネートシートによる外装ケースを用いた電池をパックケース内に収容した電池パックの組み立て作業を容易にする構造を備えた電池パックを提供することにある。
【００１０】
【課題を解決するための手段】
上記目的を達成するための本発明は、平板形状に形成された電池の厚さ方向で上ケースと下ケースとに分割され、両ケースそれぞれに形成された接合部間で当接させて両ケースを衝き合わせたとき、電池の厚さに相当する内寸の電池収容スペースが形成されるパックケース内に電池を収容し、前記接合部で両ケース間を接合して一体化する電池パックにおいて、前記パックケースが、上ケース及び／又は下ケースの電池平板面に対面する面を弾性変形面に形成すると共に、電池を収容して両ケースを衝き合わせたときに前記接合部間が当接した位置決め状態を維持するように両ケース間で互いに嵌まり合う嵌合部が形成されてなり、このパックケース内に、軟質の外装体内に発電要素を収容してその厚さが一定一様でない平板形状に形成された電池を収容してなることを特徴とする。
【００１１】
上記構成において、軟質の外装体内に発電要素を収容した電池は、金属ケースのような剛性の外装体内に発電要素を収容した電池に比して、軟質の外装体であるが故にその厚さは一定一様でなく、外装体内に電解液が注入されていることにより外圧に対して弾性を呈する。これを電池の厚さに相当する内寸の電池収容スペースが形成されたパックケース内に収容すると、電池の厚さにより上ケースと下ケースとを衝き合わせたときに、圧接しても両ケースの接合部間が当接せず、位置決めできない状態となる場合が生じる。上記構成では、上ケース及び／又は下ケースの電池平板面に対面する面が弾性変形面に形成され、両ケース間に嵌合部が形成されていることにより、上ケースと下ケースとを圧接して両ケースの接合部間を当接させると、電池の厚さ誤差は前記弾性変形面の変形によって吸収され、電池の弾性反発により両ケース間が位置決め状態から離反することは嵌合部による両ケース間の嵌合により阻止される。従って、両ケース間を超音波溶接等の接合手段により接合して一体化するときにも、接合部間の当接状態が維持されているので、厚さが一定一様でない電池を収容したパックケースの接合が安定してなされる。
【００１２】
上記構成において、接合部がパックケースの外面より内側に設けられてなることによって、接合時の溶融物が外部に露出することがなく、電池パックの外観を損なうことがない。
【００１３】
また、電池収容スペースの周囲に二次電池の側面を囲む壁面が形成され、この壁面の直近の外側に接合部が形成されてなるように構成することにより、接合面に外ケースが接合された壁面の強度が増し、衝撃による壁面の変形が防止されるので、壁面の変形による二次電池の損傷が防止される。
【００１４】
【発明の実施の形態】
以下、添付図面を参照して本発明の一実施形態について説明し、本発明の理解に供する。尚、以下に示す実施形態は本発明を具体化した一例であって、本発明の技術的範囲を限定するものではない。
【００１５】
本実施形態に係る電池パックは、携帯電話機の電池電源として構成した例を示すものである。
【００１６】
図１は、実施形態に係る電池パックの構成を分解して示すもので、電池パック１は、上ケース２ａと下ケース２ｂとからなるパックケース２内に、リチウムポリマー二次電池として構成された電池３と、この電池３を保護するセーフティユニット（以下、ＳＵ）を構成した回路基板１４及び臨界温度抵抗素子であるＰＴＣ５を備えて構成された電池保護装置８とを収容し、外部出力端子６ａ、６ｂ、６ｃの携帯電話機側接触端子との接触部を下ケース２ｂに形成された端子取付凹部１９ａ、１９ｂ、１９ｃから外部に露出させた状態に取り付けて構成されている。
【００１７】
この電池パック１は、携帯電話機に着脱自在に装填できるように構成されており、パックケース２を構成する上ケース２ａは携帯電話機の外装ケースの一部を構成する。従って、上ケース２ａは機器外装としての強度と美観を呈するように形成される。この上ケース２ａ及び下ケース２ｂは樹脂成形により形成され、電池３及び電池保護装置８を収容して両ケース間は超音波接合により一体化され、薄型の電池パック１として完成される。
【００１８】
前記電池３は、その概略構成を図２（ａ）に断面図として示すように、シート状に形成された正極板と負極板とをポリマー電解質シートを介して複数層に積層した発電要素１０を、ラミネートシートからなる軟質の外装ケース１１内に収容して構成されている。この外装ケース１１は、図２（ｂ）に示すように、短冊状に切断されたラミネートシートを二つ折りにして、両サイドの斜線部を溶着シールして袋状に形成し、この中に前記発電要素１０を収容し、発電要素１０を構成する各正極板から正極リード１２、各負極板から負極リード１３を引き出し、リード引き出し辺１１ｂを溶着シールし、外装ケース１１内を密閉して形成される。両サイドのシール辺１１ａは、電解液の漏液を防止するためにシール幅を大きくして形成されるので、図１に示すように上面側に折り返し、透明粘着テープ７１によって固定し、無駄な平面スペースの増加をなくしている。このように構成された電池３は、従来のリチウムイオン二次電池等のように正負極板を巻回構造にした構造に比して薄型の平板状に構成することができ、外装ケース１１がラミネートシートで形成されていることと相まって電池の軽量化を図ることができ、電池パック１としても薄く軽く形成できるので、機器の薄型化、軽量化に寄与できるものとなる。
【００１９】
図３は、下ケース２ｂ上に前記外部出力端子６ａ、６ｂ、６ｃ及び電池保護装置８を装着した状態を示す平面図で、これらの下ケース２ｂへの装着は、次のようになされる。まず、下ケース２ｂの側面から裏面にかけて形成された端子取付凹部１９ａ、１９ｂ、１９ｃの底に設けられたスリット状の穴にコの字状に形成された外部出力端子６ａ、６ｂ、６ｃをその先端から圧入して取り付け、検査用端子２４ａ、２４ｂを下ケース２ｂの所定位置に嵌入させる。次に、正極接続リード３０を外部出力端子６ａの先端に抵抗溶接し、負極接続リード３３が取り付けられたＰＴＣ５のリード片を検査用端子２４ｂの先端に抵抗溶接する。次いで、ＳＵを構成した回路基板１４を外部出力端子６ａ、６ｂ、６ｃ及び検査用端子２４ａ、２４ｂのコの字状の中に圧入し、回路基板１４上に形成されたハンダ付けランドに各端子をハンダ付けして、図３に示す状態に外部出力端子６ａ、６ｂ、６ｃ及び電池保護装置８の装着がなされる。このように下ケース２ｂ内の一端側に外部出力端子６ａ、６ｂ、６ｃ及び電池保護装置８が装着されると、図３に示すように電池収容スペース７２が残されるので、ここに電池３を収容する。
【００２０】
電池３のリード引き出し辺１１ｂからは正極リード１２と負極リード１３とが引き出されているので、正極リード１２と前記正極接続リード３０とを超音波溶接することにより正極リード１２を外部出力端子６ａに接続し、負極リード１３と負極接続リード３３とを超音波溶接することにより負極リード１３を電池保護装置８に接続する。前記電池収容スペース７２に収納した電池３のリード引き出し辺１１ｂは、図４に示すように、電池保護装置８上を覆うように配置され、正極リード１２が接合された正極接続リード３０及び負極リード１３が接合された負極接続リード３３は、図示するようにリード引き出し辺１１ｂの上に折り曲げられる。
【００２１】
前記電池収容スペース７２の周囲には、図３に示すように、電池３の両サイドのシール辺１１ａが折り返された側面に当接するサイド壁面７３ａ、７３ｂ、電池３の下側面に当接する下壁面７４、電池３のリード引き出し辺１１ｂの両端側にそれぞれ当接する上壁面７５ａ、７５ｂが形成されている。図４に示すように、電池３を前記サイド壁面７３ａ、７３ｂ、下壁面７４、上壁面７５ａ、７５ｂに囲まれた電池収容スペース７２内に収納すると、電池３は所定位置に位置決めされると同時に、下ケース２ｂを上ケース２ａで閉じると電池３は所定位置から不動の状態にしてパックケース２内に収容される。
【００２２】
上記のようにして下ケース２ｂ内に電池保護装置８及び電池３を収容した後、下ケース２ｂに上ケース２ａを超音波接合することにより、図５に示すように薄型化された電池パック１に組み立てられる。図５（ｂ）は電池パック１を下ケース２ｂ側から見た平面図で、電池３の平板面に接する面は薄肉形成されて、電池３が膨張によりその厚さが変化した場合に弾性的に変形する弾性変形面１５に形成されている。また、この弾性変形面１５を取り囲むように突出形成された外周部１６が形成されている。更に、弾性変形面１５は薄肉形成されているので、刃物等による突き刺しにより電池３が損傷を受けることを防止するため、弾性変形面１５の周辺部分を除いた部分にステンレス薄板７が貼着されている。このステンレス薄板７の角部には、外周部１６に当接する突出部７ａが形成され、ステンレス薄板７を弾性変形面１５に貼着するときの位置決めができるように構成されている。
【００２３】
図６は、図５（ｂ）におけるＸ−Ｘ線矢視断面を示し、前記弾性変形面１５は本構成においては厚さ０．２２ｍｍに薄肉形成され、この弾性変形面１５の周囲には所定高さに外周部１６が形成されている。この外周部１６の頂部と弾性変形面１５に貼着されたステンレス薄板７の表面との間には段差Ｈができるように外周部１６の突出高さが形成される。尚、本構成での段差Ｈは０．４ｍｍに設定されている。
【００２４】
電池３は、充放電の繰り返しや経年変化により電極板が膨張して電池３の厚さが増加する。電池３の膨張によりその厚さが増加して上ケース２ａと下ケース２ｂとの間の電池収容空間の高さを越えたとき、電池３の膨張による圧力は薄肉形成されて変形しやすくなっている弾性変形面１５を押し出して弾性変形させる。極板を積層構造にした電池３の極板の膨張は電池３全体の厚さ変化として生じるので、弾性変形面１５は電池３と接触する面が平均的に押し上げられ、変形は外周部１６に接する周辺部で弾性変形する。本構成におけるリチウムポリマー二次電池の厚さは３．９１ｍｍで、これが充放電を繰り返した全寿命経過における膨張による厚さは４．３１ｍｍとなり、０．４ｍｍの膨張が生じるデータが取得されている。前述したように、弾性変形面１５上には外周部１６に囲まれた高さ０．４ｍｍの段差Ｈによる空間が形成されているため、電池パック１の全寿命が経過した状態でも電池パック１の最大厚さに変化は生じない。
【００２５】
本構成のように電池３をパックケース２内の厚さ方向に密着するように収容する場合に、下ケース２ｂを上ケース２ａで閉じるために下ケース２ｂの所定位置に上ケース２ａを重ね合わせると、外装ケース１１が柔軟で厚さが一定でない電池３は上ケース２ａを押し上げるような力を及ぼす場合があり、図６及び図７に示すように、下ケース２ｂと上ケース２ａとの間を超音波溶着する周囲の嵌合部位は浅い嵌合状態にあるので、超音波溶接装置にセットするまでに上ケース２ａと下ケース２ｂとの嵌合位置が位置ずれする恐れがある。下ケース２ｂと上ケース２ａとの間の嵌合部位は、深い嵌合距離を設けて嵌合強度を向上すれば電池３の反発を抑えることができるが、小型化、薄型化が要求される携帯電話機のような携帯機器では、嵌合部位を大きく取ることができない。本実施形態に係る電池パック１の場合においても、図９に示すように、携帯電話機９への装着構造から周囲に大きな嵌合部位を設けることができない。そこで、本構成においては、下ケース２ｂと上ケース２ａとの間を超音波溶着するまでの間に上ケース２ａが所定位置から位置ずれすることを防止することができる嵌合構造が設けられている。
【００２６】
図１及び図３に示すように、下ケース２ｂの上下両端側に上嵌合凹部６１ａ、６１ｂ、下嵌合凹部６２ａ、６２ｂが形成されており、この下ケース２ｂに上ケース２ａを重ね合わせたとき、前記上嵌合凹部６１ａ、６１ｂ及び下嵌合凹部６２ａ、６２ｂそれぞれに、上ケース２ａに形成された上嵌合凸部６３ａ、６３ｂ及び下嵌合凸部６４ａ、６４ｂが嵌入し、下ケース２ｂに上ケース２ａが嵌合接続される。
【００２７】
図７は、図５（ｂ）におけるＹ−Ｙ線矢視断面を示すもので、前記上嵌合凹部６１ａと上嵌合凸部６３ａとの嵌合状態、下嵌合凹部６２ａと下嵌合凸部６４ａとの嵌合状態が示されている。この嵌合構造により下ケース２ｂと上ケース２ａとの間が超音波溶着されるまで下ケース２ｂの所定位置に上ケース２ａが嵌合した状態が維持されるので、この状態で上ケース２ａと下ケース２ｂとの間に超音波を加えて周囲の溶着部位（接合部）６６で超音波接合する。
【００２８】
この溶着部位６６は、図６に示すように、下ケース２ｂに形成されたサイド壁面７３ａ、７３ｂの直近の外側に設けられている。また、溶着部位６６は、図３及び図４に示すようにライン状に設けられ、パックケース２の周囲を一周するように形成されている。下ケース２ｂに上ケース２ａを前記上嵌合凹部６１ａ、６１ｂと下嵌合凹部６２ａ、６２ｂとで嵌合させて重ね合わせると、下ケース２ｂに上ケース２ａが溶着部位６６で当接する。このように重ね合わせた上ケース２ａと下ケース２ｂとを、その当接方向から超音波溶接装置のホーンと受け治具とで挟圧することにより、前記溶着部位６６で上ケース２ａと下ケース２ｂとが密着するので、ホーンから超音波加振することにより溶着部位６６の密着間が溶融して上ケース２ａと下ケース２ｂとは接合し、パックケース２として一体化される。このようにサイド壁面７３ａ、７３ｂは、その直近の外側で上ケース２ａが接合されるので変形強度が強化され、衝撃等による変形加圧に対する強度が向上し、収容された電池３を保護して衝撃による損傷を防止することができる。また、図７に示すように、上壁面７５ａ、７５ｂ及び下壁面７４は、それらの背後に形成された上嵌合凹部６１ａ、６１ｂ及び下嵌合凹部６２ａ、６２ｂにそれぞれ嵌入する上嵌合凸部６３ａ、６３ｂ及び下嵌合凸部６４ａ、６４ｂにより変形強度が強化される。
【００２９】
また、図６及び図７に示すように、溶着部位６６はパックケース２の外部露出面より内側に設定されているので、溶融部が外部に露出せず、電池パック１としての外観を損なうことがない。また、上ケース２ａと下ケース２ｂとが対向方向に密着する部位は溶着部位６６のみで、他の部位では僅かな隙間が形成されているので、超音波加振により溶融することはなく、溶融部が外部に露出することはない。
【００３０】
以上説明したように、電池３は、その平板面は上ケース２ａと下ケース２ｂとに密着した状態にパックケース２内に収容され、シール辺１１ａを上平面に折り返した両側面は下ケース２ｂに形成されたサイド壁面７３ａ、７３ｂに、下側面は下壁面７４に、当接もしくは僅少間隙を隔てた状態にパックケース２内に収容される。また、リード引き出し辺１１ｂ側は、図８に示すように、上壁面７５ａに位置決め支持された負極接続リード３３に位置決めされる状態にあり、図４に示すように、正極リード１２側では上壁面７５ｂに位置決め支持された正極接続リード３０に折り返されたシール辺１１ａのリード引き出し辺１１ｂ側が、負極リード１３側では上壁面７５ａにシール辺１１ａのリード引き出し辺１１ｂ側が当接もしくは僅少間隙を隔てた状態にパックケース２内に収容される。電池３はその外装ケース１１がラミネートシートにより形成されているので、金属ケースの場合に比して外形寸法の誤差が大きく、電池収容スペース７２の寸法は電池３プラス側誤差の状態で各壁面に当接するように設定されているので、マイナス側誤差の状態では各壁面との間には僅少な間隙が生じる。
【００３１】
このように電池３をパックケース２内に収容して電池パック１を構成することにより、落下等による衝撃が加わったときにパックケース２内で電池３が移動し難くなるので、衝撃に伴う電池３の移動により軟質の外装ケース１１を通して内装された正極板と負極板との間の短絡等の障害の発生が防止される。即ち、上下の平板面が上ケース２ａ及び下ケース２ｂの平面部に密着していることによる摩擦抵抗により移動し難くなり、周囲側面は各壁面に当接または僅少間隙で囲まれているので更に移動し難くなり、ラミネートシートにより形成された外装ケースを用いた電池３により電池パック１を薄型化及び軽量化した構成における衝撃対策が図られている。また、電池３の側面を囲む下ケース２ｂの各壁面は、その直近の外側で上ケース２ａが接合されるので強固になり、衝撃による各壁面の変形が電池３に及ぶことが防止される。
【００３２】
上記構成になる電池パック１は、図９に断面図として示すように、携帯電話機９に装填される。先に図１０に示した従来構成になる電池パックに比して薄型化されているため携帯電話機９自体も薄型化され、ポケットに挿入できるまでのスリムな形態の携帯電話機９が実現される。携帯電話機９内の電池パック１が装填される反対面（表面側）には、プッシュキー１７、このプッシュキー１７による接点回路が形成された多層回路基板１８、この多層回路基板１８を支持する支持板１９が配設され、この支持板１９と電池パック１との間は、外周部１６との間に約０．０５ｍｍの間隙、弾性変形面１５上に貼着されたステンレス薄板７との間に約０．４５ｍｍの間隙が設けられている。この構成によって、携帯電話機９の表面側から強い押圧が加わったときには外周部１６が支持板１９の変形を支える作用をなす。また、電池３は充放電あるいは経年変化により極板の膨張が生じて電池の厚さが増加するが、弾性変形面１５は電池３の膨張に対応して弾性変形し、前述したように外周部１６で囲まれた中に形成された空間で膨張による厚さ変化が収まり、膨張の影響を機器側に及ぼすことがない。
【００３３】
また、携帯電話機のような携帯情報機器は、機器自体あるいは電池パックを落下させたり衝突させてしまう危険性を孕んでおり、それによる衝撃により機能停止に至らないような対策を講じる必要があるが、前述のように電池３をパックケース２により強固に保護し、パックケース２内で移動しないように構成しているので、衝撃により電池３が損傷することを防止することができる。
【００３４】
以上説明した電池パックの構成は、携帯電話機の電池電源として適用した例について述べたが、モバイルコンピュータや電子手帳、トランシーバ等においても同様の構成を適用することができる。
【００３５】
【発明の効果】
以上の説明の通り本発明によれば、内ケースと外ケースとを嵌合させる嵌合部が形成されていることにより、二次電池をその平板面を内ケース及び外ケースの内面に密着させてパックケース内に収容する場合に、内ケースに外ケースを重ねたとき二次電池の反発により外ケースが内ケースの所定の接合位置から浮いて位置ずれすることがなく、所定位置に位置決め固定される。この嵌合接続により内ケースに外ケースが位置決め固定された後、当接した接合部間で溶融接合することによって内ケースの所定位置に外ケースが接合され、二次電池をその平板面を内ケース及び外ケースの内面に密着させてパックケース内に収容することができる。
【図面の簡単な説明】
【図１】実施形態に係る電池パックの構成を示す分解斜視図。
【図２】電池の概略構成を示す（ａ）は断面図、（ｂ）は平面図。
【図３】下ケースに電池保護装置を配設した状態を示す平面図。
【図４】下ケースに電池保護装置及び電池を配設した状態を示す平面図。
【図５】電池パックの外観を示す（ａ）は外部出力端子側から見た側面図、（ｂ）は下ケース側から見た平面図。
【図６】図５（ｂ）におけるＸ−Ｘ線矢視断面図。
【図７】図５（ｂ）におけるＹ−Ｙ線矢視断面図。
【図８】電池のリード引き出し辺側の位置決め状態を示す断面図。
【図９】電池パックを携帯電話機に装填した状態を示す断面図。
【図１０】従来構成になる電池パックの携帯電話機への装填状態を示す断面図。
【符号の説明】
１  電池パック
２  パックケース
２ａ  上ケース
２ｂ  下ケース
３  電池
６ａ、６ｂ、６ｃ  外部出力端子
８  電池保護装置
１０  発電要素
１１  外装ケース
１１ｂ  リード引き出し辺
１２  正極リード
１３  負極リード
６１ａ、６１ｂ  上嵌合凹部（嵌合部）
６２ａ、６２ｂ  下嵌合凹部（嵌合部）
６３ａ、６３ｂ  上嵌合凸部（嵌合部）
６４ａ、６４ｂ  下嵌合凸部（嵌合部）
６６  溶着部位（接合部）
７２  電池収容スペース
７３ａ、７３ｂ  サイド壁面
７４  下壁面
７５ａ、７５ｂ  上壁面
【図１】
0003710644.tif 000002
【図２】
0003710644.tif 000003
【図３】
0003710644.tif 000004
【図４】
0003710644.tif 000005
【図５】
0003710644.tif 000006
【図６】
0003710644.tif 000007
【図７】
0003710644.tif 000008
【図８】
0003710644.tif 000009
【図９】
0003710644.tif 000010
【図１０】
0003710644.tif 000011